(57)【要約】【課題】一定場所（台所での洗物等）での立ち仕事において、作業者の腰部の負担を軽減するために、作業者が片方の足を高く保持することは良く知られているが、既設の流し台等では、踏み台等を足元に置く方法しかなく、移動時に躓いたり、作業の妨げとなり、使用しない場合には収納場所も別途必要になる不具合がある。【解決手段】足置き体・足置き台を、流し台等の前面上縁部にかぎ形の支え軸で掛け置き、又は、流し台等の前面部に吸着させることにより、足元の障害物となることはなく、収納場所も別途必要ない。【選択図】図１
2008272166.tif 000002
【特許請求の範囲】
【請求項１】
立ち作業者の片足を乗せることが可能な足置き手段を、流し台・作業台等の前面部に、設置可能な足置き装置。
【請求項２】
前記足置き手段は、流し台・作業台等の設置床面からの高さ調節可能な高さ調整手段を有してなることを特徴とする請求項1に記載の足置き装置。
【請求項３】
前記足置き手段は、流し台・作業台等に掛け置きするかぎ形の掛置き部を有し、前記掛置き部は前後調節手段と吸着盤を有してなることを特徴とする請求項1または請求項２のいずれかに記載の足置き装置。
【請求項４】
前記足置き手段と流し台・作業台等の前面部との間隔を調整可能な緩衝材と、掛置き部に移動調節可能な安定板を取り付けたことを特徴とする請求項1乃至請求項３のいずれかに記載の足置き装置。
【請求項５】
前記足置き手段は、折りたたみ構造を有してなることを特徴とする請求項1乃至請求項４のいずれかに記載の足置き装置。
【請求項６】
前記足置き手段は、収納板との組み合わせ構造を有していることを特徴とする請求項１または請求項２並びに請求項５のいずれかに記載の足置き装置。
【請求項７】
前記足置き手段を、流し台・作業台等の前面上縁内部に、作業者の左右方向に移動調整可能な調節手段を有していることを特徴とする請求項１乃至請求項６のいずれかに記載の足置き装置。
【発明の詳細な説明】
【技術分野】
【０００１】
本発明は、流し台・作業台等の一定場所での立ち作業時の腰部への負担の軽減、腰痛の予防を目的とする足置き装置に関する。
【背景技術】
【０００２】
既設の流し台・作業台等の一定場所で、長時間の立ち作業の場合、作業者は片足を台に載せると、腰の負担が軽減できることは良く知られているが、既設の流し台・作業台等での立ち作業では、踏み台等を足元の床面に置く方法しかなく、作業者の移動時には躓いたり障害物となり、作業効率が低下し、使用しないときは別途収納場所を必要とする不具合がある。
【０００３】
また、使用者の所望する高さに調整できる足置き台等は見当たらない。
【０００４】
流し台の前面下部に足置き台を配したものはあるが、高さ調節不可能であり、又流し台の前面下部に足置き手段を配すれば、内部空間の有効活用が阻害される。
【０００５】
【特許文献１】特開２００６−２６３４８号公報
【特許文献２】特開２００７−７０２９号公報
【発明の開示】
【発明が解決しようとする課題】
【０００６】
本発明は、かかる現状に鑑み創案されたものであって、その目的とするところは、既設の流し台等での長時間の立ち作業時に、片足を乗せることができて、移動時に足元の障害物にならない足置き装置を提供しようとするものである。
【０００７】
更に、作業者の体格等に合わせ足置き手段の高さ調節可能で、既存の流し台の前面上縁部の形状が異なっていても、それぞれの流し台に安定的に設置でき、流し台に損傷を与えない足置き装置を提供することである。
【課題を解決するための手段】
【０００８】
上記目的を達成するため、請求項１に記載の足置き装置は、既設の流し台等の前面上縁部に掛け置き、又は前面部に吸着させ、腰痛の予防・軽減のため、作業者の片足を乗せることが可能で、足元の障害物にならないことを特徴とする。
【０００９】
請求項２に記載の発明にあっては、請求項１に記載の足置き装置を技術的前提とし、足置き手段を流し台等の設置床面からの高さ調整可能に設定したことを特徴とする。
【００１０】
請求項３に記載の発明にあっては、請求項１乃至請求項２のいずれかに記載の足置き装置を技術的前提とし、設置手段をかぎ形構造にして、流し台等の前面上縁部に掛け置く構造とし、又、既設の流し台の異なる前面幅に対応できるように、掛け置き部の伸縮調整とかぎ形の一部を蛇腹構造にして、先端に吸着盤を配したことを特徴とする。
【００１１】
請求項４に記載の発明にあっては、請求項１乃至請求項３のいずれかに記載の足置き装置を技術的前提とし、既設の流し台の前面上縁部のそれぞれ異なる凹凸等の形状に対応できるように、取り付け位置に移動可能な緩衝材を兼ねた安定板を配し、足置き部分の後側に伸縮可能な下部緩衝材を設定したことを特徴とする。
【００１２】
請求項５に記載の発明にあっては、請求項１乃至請求項４のいずれかに記載の足置き装置を技術的前提とし、足置き手段を折りたたみ構造にしたことを特徴とする。
【００１３】
請求項６に記載の発明にあっては、請求項１又は請求項２並びに請求項５のいずれかに記載の足置き装置を技術的前提とし、足置き手段を床面からの高さを複数通り選択できるように、例えば、１０センチと１５センチの角型・折りたたみ構造にして、磁石などを配した取り付け板と組み合わせて、流し台・作業台等の前面部に装着設置することを特徴とする。
【００１４】
請求項７に記載の発明にあっては、請求項１又は請求項２並びに請求項５のいずれかに記載の足置き装置を技術的前提とし、流し台等の前面上縁内部にレール構造の設置手段を配設し、掛け置き形の足置き装置の設置構造をローラーに変えて、レールに掛け置きし、左右に移動調整可能な左右位置調節手段を設けたことを特徴とする。
【発明の効果】
【００１５】
以上説明したように、請求項１に記載の足置き装置にあっては、作業者の片足を乗せることが可能で、足元の障害にならない足置き手段を既設の流し台等の前面部に取り付けて、コンパクトに収められるので、躓く危険がなく、長時間の立ち作業をしても、腰への負荷を軽減でき、腰痛を効果的に軽減することができる。
【００１６】
請求項２に記載の発明にあっては、前記足置き手段を床面から５センチから２５センチの高さに調整可能な高さ調整を設定したので、使用者の体形・体調等によって、足置き手段の高低変更が可能になり、体格等の異なる作業者にも対応し、長時間の作業をしたとしてもより効果的に腰痛の予防・軽減ができる。
【００１７】
請求項３に記載の発明にあっては、前記足置き装置の設置手段をかぎ形構造にして、伸縮調整できる構造にしたので、既設の流し台等の前面上縁部の幅に合わせて掛け置くことが可能で、吸着盤を配したので、不意の接触による脱落の心配がなくなり、安全性が向上する。
【００１８】
請求項４に記載の発明にあっては、既設の流し台等の前面上縁部に凹凸があっても、前記かぎ形の掛け置き部に緩衝材を兼ねた安定板を配し、安定板の位置は凹凸に合わせて調整可能であって、足置き板の裏側にも緩衝材を配したので、既設の流し台等に損傷を与える心配が無く、安定的に使用できる。
【００１９】
請求項５に記載の発明にあっては、前記足置き装置を使用しない場合、前記足置き手段を折りたたみ構造にして、足元の障害を排除し、安全性・利便性が向上した。
【００２０】
請求項６に記載の発明にあっては、既設の流し台の前面部に吸着設置構造で、複数通り（例えば、１０センチと２０センチ）から足置き手段の高さを選び、収納板との組み合わせ構造にし、一つの足置き装置で効率的に腰への負担の軽減ができ、安価に提供することができる。
【００２１】
請求項７に記載の発明にあっては、流し台の上縁内部に、レールを設け、前記掛け置き形の足置き装置のかぎ形部をローラーに変えて取り付け、左右に移動調整可能な左右位置調節手段を設け、使用時においては、ブレーキ操作ボタンにより、ブレーキパッドを作動させ、不要な左右方向のスライドを止めて、安全を確保し、又、長期間使用しない場合は、取り外し、収納部に収納できる構造で、必要に応じ効果的に腰への負担を軽減することができる。
【発明を実施するための最良の形態】
【００２２】
図１から図１０を参照して、以下本発明の実施形態例に基づいて説明する。
【００２３】
図1は本発明の実施例１に関する足置き装置の斜視図、図２は本発明実施例１に係る足置き装置の使用図を示す斜視図、図３は実施例１の足置き装置の側面図、図４は実施例１の足置き装置の一端側を流し台・作業台等の上縁部に設置するかぎ形部分の斜視図、図４は足置き装置を流し台のシンクに掛けるためのかぎ形設置手段の使用例を示す説明図、図６は実施例２の角型足置き装置の取り付け状況を示す斜視図、図７は図６の角型足置き装置側面図、図８は実施例２の角型足置き装置の折りたたみの使用形態を示す図、図９は実施例１に係る足置き装置の設置構造を変形し、流し台等の家具に配設した場合の斜視図、図１０は図９の側面図(一部断面図)をそれぞれ示している。
【実施例１】
【００２４】
図１から図３に示す足置き板１０の高さは、使用者３１の体格等に適合するよう、前部支え軸2は、高さ調節リング15と伸縮軸11を介して、足置き板１０を使用者の任意の高さに調整できるよう構成した。伸縮の方法は内部軸と外筒をボルトとナットの組み合わせで止める構造でも構わない。
【００２５】
図１に図示の足置き板１０は、図示省略のスプリングワッシャーを装着した蝶番を用いた起倒式構造として、不使用時はスプリングワッシャーの力で支え軸側に折り畳めるので、使用者３１が足置き板10に引っかかることもなく安全である。足置き板10の折たたみ手段としては、磁石式や凸凹のホック式等でも良い。
【００２６】
図１から図４に図示した実施例１の足置き装置１は、流し台・作業台等の前面上縁部に掛けられるようかぎ形の形状で、流し台等へ損傷を与えず安定的に付着させるために、滑り止めを兼ねる前部安定板5、上部安定板６、下部緩衝材８が配設され、かぎ形の先端部に蛇腹パイプ4を、蛇腹パイプ4の先端に吸盤7を設け、該吸盤７をシンク13の内壁に接着することにより、脱落しないように構成した。
【００２７】
図４に図示した足置き装置１の掛け置き部は、図２の既設の流し台１２のシンク１３の前面幅の各々の異なった幅に対応するように、上部支え軸伸縮ボタン１６により、折りたたみ傘に多用のノッチ式で、前後に4センチから7センチ、上部支え軸３を伸縮調整可能な構成とした。必要に応じ、伸縮手段は伸ばし棒(市販商品名)式やボルトとナットの締結式でも良い。
【００２８】
図４に示すように上部支え軸３は、取付け位置を変更できる上部安定板６を把持し、既設の流し台の上縁部に凹凸があっても適合するように、安定板取付け溝９により、安定的に設置できるよう、前後に調整可能な構成にした。
【００２９】
又、既設のそれぞれの流し台１２の形状に添って足置き装置１を安定させ、流し台１２に損傷を与えないように、図４に示すように、前部支え軸２にも、安定板取り付け溝９が設けられ、前部安定板5を上下にスライド調整可能な構成にした。
【００３０】
従って、図５の(a)に示すように既設の流し台１２の前部上縁部の形状に斜めの傾斜や水止めの凹凸があっても上部支え軸3の伸縮機能と安定板の移動によって、足置き装置１はそれぞれの形状に対応可能で、安定的に設置できる。
【００３１】
図５の(b)に示すように凹凸のない形状の流し台１２においては、蛇腹パイル４の角度を調整し、蛇腹パイプ４の先端の吸盤７をシンク１３の前部内面側に吸着することにより、不意の接触での脱落を防止できる安全構造にした。
【００３２】
図５の(c) に示すように既設の流し台の前部上縁部が前面に突き出た形状の流し台１２においては、前部安定板５を突き出た部分に合わせることで安定的に設置できる。
【００３３】
図５の（ｄ）に示す作業台１４のように天板がフラットな形状の場合は、蛇腹パイプ４の角度を調整し、吸盤７を流し台１２の天板に吸着して安定的な設置ができ、既設の流し台１２の上演部の形状が異なっていても、上部支え軸3の伸縮機能と前部安定板５と上部安定板６の移動調整によって、足置き装置１はそれぞれの形状に対応可能で、安定的に使用できる。
【００３４】
図３に示すように、足置き板１０の背面部には、流し台1２に対する下部緩衝材８を設け、足置き装置１の使用時の安定のため、2から4センチの長さに伸縮調整可能に構成した。下部緩衝材８は吸盤７を用いることもできる。
本発明は、流し台１２に限らず、一定の場所での前傾姿勢をとる各種作業台等に用いることができる。
【実施例２】
【００３５】
図６及び図７は実施例２の角型足置き装置２０を示す図で、既設の流し台１２の前面部に収納板２１を吸盤フック18で接着して、収納板２１の下部に足置き台２２を組み合わせて設置する構造である。組み合わせ手段としては、蝶番構造等を採用することができる。
【００３６】
前記角型足置き装置２０は、足置き台２２の高さを使用者の好み等で、１０センチと１５センチの二通り選べる構造とした。角型足置き装置２０の高さ変更方法は、図７に示した高さ１０センチの使用例から高さ１５センチに変更する場合、図６及び図７に図示した取り付け板２１より、足置き台２２を取り外し、吸盤７と取り付け板２１を５センチ上方向に付け替え、足置き台２２を横方向に１８０度回転して足置きＢ面Ｂを上にして取り付け板２１の下部に組み合わせる構造である。
【００３７】
前記角型足置き装置２０を使用しない場合は、図６に図示する足置きＢ面Ｂの足掛け穴19に作業者が足先をかけて、上に引き上げ、収納板21に磁石17で接着する折りたたみ構造である。
図６、図７に示す角型足置き台２２の足置きＡ面Ａと足置きＢ面Ｂ及びＣ面ＣとＤ面Ｄの接合部分は、内屈折角を９０度の構造にし、足置き台２２のＣ面Ｃ及びＤ面Ｄは、滑り止めを配して、使用時の安定を確保した。
軽量化のために、足置き台２２の各面を網目状にすることもできる。
【００３８】
図８の(a)は、角型足置き装置２０の高さ１０センチの使用時の状態を示す側面図である。収納方法は図６に示す足置きＢ面Ｂの足掛け穴１９に足先を入れ上に引き上げ、(b)に示すように足置きＡ面Ａを収納板２１に接着し、次に足置きＢ面Ｂを順次収納板21に接着して、(c)に示す状態で収める構造である。
収納板２１と角型足置き装置20の接着方法は磁石式でなくとも、収納板21に凸部を設けて掛ける方法やラッチ式（掛け金式）等でも良い。
【実施例３】
【００３９】
図９と図１０は実施例３の足置き装置付の流し台２９を示す図で、流し台１２の前面上縁部を前面に張り出し、張り出した内部に、ガイドレール２３を設けて、前記実施例１の足置き装置１のかぎ形部分をローラー２４に変え、吊り下げ式足置き装置３０として、左右方向にスライド可能な構造である。
【００４０】
前記吊り下げ式足置き装置３０は、使用時においては、ブレーキ操作ボタン２６により、ブレーキパッド２５を作動させ、不要な左右方向のスライドを止めて、安全を確保し、又、使用しない場合は、図９に破線で図示する如く、切欠部２７より取り外し、収納部２８に収納できる構造である。
【００４１】
図１及び図６並びに図９に図示した足置き装置１・角型足置き装置２０・吊り下げ式足置き装置３０の重量は、軽く、色・材質は特に定めず、安全性があり、変形したり折れたりしない構造が望ましい。
【００４２】
本発明は、この上記実施形態及び実施例に限定されず、いろいろな変更等を行うことが可能である。
【００４３】
「実施形態の効果」
この実施形態によれば、足置き装置を使用しない場合、折りたたみ構造により、足元から障害物が排除できる。したがって、足元の躓き等の危険を回避して既設の流し台等での立ち作業による腰痛の予防や腰部への負担軽減ができるようになる。また、床面の掃除等の際にも邪魔にならず、取り外して保管する場合も場所をとらない。又、使用する際、足置き板・足置き台を足で操作できるので、スーパーのレジ打ち等の狭い場所でも使用できる。
【図面の簡単な説明】
【００４４】
【図１】本発明の実施例１の実施形態を示す足置き装置の斜視図である。
【図２】本発明の実施例１に係る足置き装置の使用図を示す斜視図である。
【図３】本発明の実施例１に係る足置き装置を示す側面図である。
【図４】本発明の実施例１に係る足置き装置のかぎ形部分の斜視図である。
【図５】本発明の実施例１の足置き装置の使用例を示す説明図である。
【図６】本発明の実施例２の角型足置き装置の斜視図である。
【図７】図６の側面図である。
【図８】本発明の実施例２の角型足置き装置の使用形態の説明図である。
【図９】本発明の実施例３の吊り下げ式足置き装置付き流し台の斜視図である。
【図１０】図９の吊り下げ式足置き装置付き流し台の側面、及び足置き装置を支えるガイドレールの断面を示す説明図である。
【符号の説明】
【００４５】
1   足置き装置    
2   前部支え軸  
3   上部支え軸    
4   蛇腹パイプ    
5   前部安定板    
6   上部安定板    
7   吸盤    
8   下部緩衝材  
9   安定板取付け溝    
10  足置き板    
11  伸縮軸    
12  流し台    
13  シンク  
１4  作業台    
15  上下高さ調節リング    
16  上部支え軸伸縮調整ボタン    
17  磁石    
18  吸盤フック    
19  足掛け穴    
20  角型足置き装置    
21  収納板    
２２  足置き台
2３  ガイドレール    
2４  ローラー    
2５  ブレーキパッド    
２６  ブレーキ操作ボタン
２７  切欠部    
２８  収納部
２９  足置き装置付流し台
３０  吊り下げ式足置き装置
３１  使用者
Ａ    足置きＡ面
Ｂ    足置きＢ面
Ｃ    Ｃ面
Ｄ    Ｄ面
【図１】
2008272166.tif 000003
【図２】
2008272166.tif 000004
【図３】
2008272166.tif 000005
【図４】
2008272166.tif 000006
【図５】
2008272166.tif 000007
【図６】
2008272166.tif 000008
【図７】
2008272166.tif 000009
【図８】
2008272166.tif 000010
【図９】
2008272166.tif 000011
【図１０】
2008272166.tif 000012